(57)【特許請求の範囲】
【請求項１】
着用者の身体前側と身体後側とに延びる前後方向と、
前記前後方向に直交する幅方向と、
前胴周り域と、
後胴周り域と、
前記前胴周り域と前記後胴周り域との間に位置し、着用者の股下に配置される股下域と、
少なくとも前記股下域に設けられ、吸収体を有する吸収性本体と、
前記幅方向における前記前胴周り域の外側部と前記幅方向における前記後胴周り域の外側部とが互いに接合されたサイド接合部と、を有する吸収性物品であって、
前記吸収性物品を前後に二分する股下折り線が前記股下域を通っており、
前記幅方向における前記吸収体の中央部に中央弾性部材が配置されており、
前記中央弾性部材は、前記股下折り線よりも前側から前記股下折り線よりも後側にわたって延びており、
前記中央弾性部材の前側縁は、前記前胴周り域の前記サイド接合部の後側縁よりも後側に位置し、
前記中央弾性部材の後側縁は、前記後胴周り域の前記サイド接合部の前側縁よりも後側に位置し、
前記中央弾性部材は、前記中央弾性部材の前記前側縁から前記中央弾性部材の前記後側縁にわたって前記前後方向に沿って直線状に延びている、吸収性物品。
【請求項２】
前記吸収体が厚み方向に圧搾された一対の圧搾部を有し、
前記一対の圧搾部は、前記幅方向における前記吸収体の中心を挟んで設けられており、前記股下折り線よりも前側から前記股下折り線よりも後側にわたって延びている、請求項１に記載の吸収性物品。
【請求項３】
前記一対の圧搾部は、前記幅方向において前記中央弾性部材を挟む位置に設けられている、請求項２に記載の吸収性物品。
【請求項４】
着用者の身体前側と身体後側とに延びる前後方向と、
前記前後方向に直交する幅方向と、
前胴周り域と、
後胴周り域と、
前記前胴周り域と前記後胴周り域との間に位置し、着用者の股下に配置される股下域と、
少なくとも前記股下域に設けられ、吸収体を有する吸収性本体と、
前記幅方向における前記前胴周り域の外側部と前記幅方向における前記後胴周り域の外側部とが互いに接合されたサイド接合部と、を有する吸収性物品であって、
前記吸収性物品を前後に二分する股下折り線が前記股下域を通っており、
前記幅方向における前記吸収体の中央部に中央弾性部材が配置されており、
前記中央弾性部材は、前記股下折り線よりも前側から前記股下折り線よりも後側にわたって延びており、
前記中央弾性部材の前側縁は、前記前胴周り域の前記サイド接合部の後側縁よりも後側に位置し、
前記中央弾性部材の後側縁は、前記後胴周り域の前記サイド接合部の前側縁よりも後側に位置し、
前記吸収体が厚み方向に圧搾された一対の圧搾部を有し、
前記一対の圧搾部は、前記幅方向における前記吸収体の中心を挟んで設けられており、前記股下折り線よりも前側から前記股下折り線よりも後側にわたって延びており、
前記一対の圧搾部は、前記股下域において、前記幅方向の内側に括れた括れ部を有し、
前記中央弾性部材の前記前側縁は、前記括れ部において前記一対の圧搾部どうしの間の距離が最も狭い位置よりも後側に位置する、吸収性物品。
【請求項５】
前記一対の圧搾部は、前記幅方向における前記一対の圧搾部どうしの距離が前記股下折り線よりも後側において後側に向かうにつれて短くなる部分を有する、請求項２から４のいずれか１項に記載の吸収性物品。
【請求項６】
前記後胴周り域の、前記幅方向における前記中央弾性部材の両側の領域の伸縮性が、前記後胴周り域の、前記中央弾性部材が存在する領域の伸縮性よりも小さい、請求項１から５のいずれか１項に記載の吸収性物品。
【請求項７】
前記後胴周り域の、前記幅方向における前記中央弾性部材の両側の領域において、少なくとも前記吸収体を圧搾した吸収体圧搾部を有する、請求項１から６のいずれか１項に記載の吸収性物品。
【請求項８】
前記吸収体は、着用者の排泄口に対向する排泄口当接域に、前記排泄口当接域の周りの領域の吸収体よりも厚い中高部を有し、
前記中央弾性部材の前記前側縁は、前記中高部の領域に位置する、請求項１から７のいずれか１項に記載の吸収性物品。
【請求項９】
前記股下折り線と前記後胴周り域の後側縁との間に設けられ、前記幅方向に沿って延びる後胴周り折り線をさらに有し、
前記中央弾性部材は、前記後胴周り折り線よりも後側へ延びている、請求項１から８のいずれか１項に記載の吸収性物品。
【発明の詳細な説明】
【技術分野】
【０００１】
本発明は、パンツ型の吸収性物品、特に女性用のショーツ型ナプキンに関する。
【背景技術】
【０００２】
着用者の股下部に設けられ、人体から排出される液体を吸収する吸収性本体を備えたパンツ型の吸収性物品が知られている。特許文献１に記載された吸収性物品は、女性用ショーツ型の吸収性物品である。この吸収性物品は、着用者の身体前側に配置される前胴周り域と、着用者の身体後側に配置される後胴周り域と、着用者の股下に配置される股下域と、を有する。少なくとも股下域には、吸収体を有する吸収性本体が設けられている。吸収性本体には、着用者の腹側と背側を結ぶ方向（前後方向）に沿って延びた複数の弾性部材が設けられている。この複数の弾性部材は、幅方向において吸収性本体全域にわたって、等間隔で並んでいる。
【先行技術文献】
【特許文献】
【０００３】
【特許文献１】特開２００２−２０９９４２号公報
【発明の概要】
【０００４】
特許文献１に記載されたパンツ型の吸収性物品では、複数の弾性部材によって吸収性本体全域にわたって前後方向に収縮力を付与しているだけであり、着用者の身体の形状に応じて収縮力を設計することについては検討されていない。したがって、吸収性物品のフィット性について改善の余地があった。
【０００５】
また、一般に、特許文献１に記載されたようなパンツ型の吸収性物品は、使用前に、股下域を幅方向に沿って延びる折り線に沿って折られている。したがって、吸収性物品の股下域は、この折り線を基点に、着用者の身体から離れるようにＶ字形に曲がろうとする。これにより、股下域において着用者と吸収性物品との間に隙間が生じ、吸収性物品が着用者の身体にフィットし難くなることがあった。
【０００６】
したがって、股下域に幅方向に沿った折り線が存在している場合であっても吸収性物品のフィット性を向上させることが望まれる。
【０００７】
一態様に係る吸収性物品は、着用者の身体前側と身体後側とに延びる前後方向と、前後方向に直交する幅方向と、前胴周り域と、後胴周り域と、前胴周り域と後胴周り域との間に位置し、着用者の股下に配置される股下域と、少なくとも股下域に設けられ、吸収体を有する吸収性本体と、幅方向における前胴周り域の外側部と幅方向における後胴周り域の外側部とが互いに接合されたサイド接合部と、を有する。吸収性物品を前後に二分する股下折り線が股下域を通っており、幅方向における吸収体の中央部に中央弾性部材が配置されており、中央弾性部材は、股下折り線よりも前側から股下折り線よりも後側にわたって延びており、中央弾性部材の前側縁は、前胴周り域のサイド接合部の後側縁よりも後側に位置し、中央弾性部材の後側縁は、後胴周り域のサイド接合部の前側縁よりも後側に位置する。
【図面の簡単な説明】
【０００８】
【図１】実施形態に係るショーツ型ナプキンの正面図である。
【図２】図１に示すショーツ型ナプキンの展開平面図である。
【図３】図２に示すＡ−Ａ線に沿ったショーツ型ナプキンの断面図である。
【図４】ショーツ型ナプキンを構成する吸収性本体の平面図である。
【発明を実施するための形態】
【０００９】
（１）実施形態の概要
本明細書及び添付図面の記載により、少なくとも以下の事項が明らかとなる。
【００１０】
一態様に係る吸収性物品は、着用者の身体前側と身体後側とに延びる前後方向と、前記前後方向に直交する幅方向と、前胴周り域と、後胴周り域と、前記前胴周り域と前記後胴周り域との間に位置し、着用者の股下に配置される股下域と、少なくとも前記股下域に設けられ、吸収体を有する吸収性本体と、前記幅方向における前記前胴周り域の外側部と前記幅方向における前記後胴周り域の外側部とが互いに接合されたサイド接合部と、を有し、前記吸収性物品を前後に二分する股下折り線が前記股下域を通っており、前記幅方向における前記吸収体の中央部に中央弾性部材が配置されており、前記中央弾性部材は、前記股下折り線よりも前側から前記股下折り線よりも後側にわたって延びており、前記中央弾性部材の前側縁は、前記前胴周り域の前記サイド接合部の後側縁よりも後側に位置し、前記中央弾性部材の後側縁は、前記後胴周り域の前記サイド接合部の前側縁よりも後側に位置する。
【００１１】
身体の排泄口より前側の形は比較的平らである。一方、身体の排泄口より後側には、前後方向に延びる凹部、具体的には臀裂が存在する。着用者は、吸収性物品を履くときに、前胴周り域と後胴周り域のサイド接合部を掴んで引き上げる。この場合に、中央弾性部材の後側縁がサイド接合部の前側縁よりも後側、すなわち後胴周り域に位置するため、着用者が吸収性物品を引き上げる力は後胴周り域を介して中央弾性部材に伝わり易い。これにより、中央弾性部材が引き上げられたときに、中央弾性部材の収縮力によって、股下域及び後胴周り域の幅方向における中央部が、着用者の臀裂に向かって凸状に変形する。このように、股下域及び後胴周り域の幅方向における中央部が、着用者の臀裂に向かって凸状に変形するため、股下折り線が存在していたとしても、股下折り線を基点に着用者の肌から離れるように曲がることなく、吸収性物品を着用者の身体の形状にフィットさせることができる。
【００１２】
一方、中央弾性部材の前側縁は、サイド接合部の後側縁よりも後側に位置する。よって、前胴周り域では、着用者が吸収性物品を引き上げる力は中央弾性部材に伝わり難い。したがって、吸収性物品の前胴周り域、特に恥骨に対向する領域付近は、比較的平らな形状を維持するので、着用者に違和感を与え難い。
【００１３】
好ましい一態様によれば、吸収性物品は、前記吸収体が厚み方向に圧搾された一対の圧搾部を有し、前記一対の圧搾部は、前記幅方向における前記吸収体の中心を挟んで設けられており、前記股下折り線よりも前側から前記股下折り線よりも後側にわたって延びている。
【００１４】
一対の圧搾部によって剛性が高められた部分が、股下折り線よりも前側から股下折り線よりも後側にわたって延びているので、吸収性物品が、幅方向に沿った股下折り線を基点に折れ曲がろうとすることを抑制することができる。これにより、吸収性物品のフィット性を高めることができる。
【００１５】
好ましい一態様によれば、前記一対の圧搾部は、前記幅方向において前記中央弾性部材を挟む位置に設けられている。
【００１６】
一対の圧搾部は、吸収性物品の曲げ基点となる。一対の圧搾部は、幅方向において中央弾性部材を挟む位置に設けられているので、吸収性物品は、幅方向における中央部が着用者の臀裂に向けて凸形状により変形し易くなり、より着用者に身体にフィットし易くなる。
【００１７】
好ましい一態様によれば、前記一対の圧搾部は、前記股下域において、前記幅方向の内側に括れた括れ部を有し、前記中央弾性部材の前記前側縁は、前記括れ部において前記一対の圧搾部どうしの間の距離が最も狭い位置よりも後側に位置する。
【００１８】
一対の圧搾部の括れ部は、着用者の排泄口に近接する部分であり、当該部分の吸収体を着用者の排泄口に押し当てるように変形させる。この場合、一対の圧搾部の括れ部は、着用者の股下の少し前に位置する。
【００１９】
中央弾性部材の前側縁を括れ部において一対の圧搾部どうしの間の距離が最も狭い位置よりも後側に位置させることで、着用者の股下の後方の臀裂に向けて、吸収性物品の幅方向における中央部を効果的に突出させることができる。したがって、吸収性物品がより着用者に身体にフィットし易くなる。
【００２０】
好ましい一態様によれば、前記一対の圧搾部は、前記幅方向における前記一対の圧搾部どうしの距離が前記股下折り線よりも後側において後側に向かうにつれて短くなる部分を有する。
【００２１】
股下折り線よりも後側において、一対の圧搾部どうしの距離が股下折り線よりも後側に向かうにつれて短くなっているので、後側に向かうにつれて凸状に変形する領域の幅が狭くなる。これにより、着用者の臀裂の幅に応じて、吸収性物品を変形させることができるため、臀部付近の吸収性物品のフィット性をより向上させることができる。
【００２２】
好ましい一態様によれば、前記後胴周り域の、前記幅方向における前記中央弾性部材の両側の領域の伸縮性が、前記後胴周り域の、前記中央弾性部材が存在する領域の伸縮性よりも小さい。
【００２３】
後胴周り域において、幅方向における中央弾性部材の外側の領域は、伸縮性が低いため、凸状に変形し難くなっている。これにより、中央弾性部材の領域のみが着用者の臀裂に向かって凸状に変形し易くなっている。したがって、後胴周り域において、着用者の臀部と吸収性物品との間に隙間を生じ難くすることができ、体液の伝い漏れを軽減することができる。
【００２４】
好ましい一態様によれば、前記後胴周り域の、前記幅方向における前記中央弾性部材の両側の領域において、少なくとも前記吸収体を圧搾した吸収体圧搾部を有する。
【００２５】
幅方向における中央弾性部材の外側の後胴周り域は、吸収体圧搾部によって剛性が高められており、凸状に変形し難くなっている。これにより、中央弾性部材の領域のみが着用者の臀裂に向かって凸状に変形し易くなっている。したがって、後胴周り域において、着用者の臀部と吸収性物品との間に隙間を生じ難くすることができ、体液の伝い漏れを軽減することができる。
【００２６】
好ましい一態様によれば、前記吸収体は、着用者の排泄口に対向する排泄口当接域に、前記排泄口当接域の周りの領域の吸収体よりも厚い中高部を有し、前記中央弾性部材の前記前側縁は、前記中高部の領域に位置する。
【００２７】
中高部は、体液の吸収容量が高い領域となっている。中央弾性部材によって着用者に向けて凸状に変形する領域の前側縁が中高部に位置することから、吸収容量の高い中高部を着用者の肌に密着させることができる。これにより、効率よく体液を吸収することができる。
【００２８】
好ましい一態様によれば、吸収性物品は、前記股下折り線と前記後胴周り域の後側縁との間に設けられ、前記幅方向に沿って延びる後胴周り折り線をさらに有し、前記中央弾性部材は、前記後胴周り折り線よりも後側へ延びている。
【００２９】
股下折り線と後胴周り域の後側縁との間に後胴周り折り線が存在すると、折り癖によって、後胴周り折り線を基点に吸収性物品が着用者の身体から離れる方向に変形し易い。本態様では、中央弾性部材が後胴周り折り線よりも後側へ延びているため、後胴周り折り線の位置で、吸収性物品の幅方向における中央部が前後方向に沿って凸状に変形する。これにより、後胴周り折り線が存在していたとしても、後胴周り折り線の折り癖に引きずられることなく、吸収性物品を着用者の身体の形状にフィットさせることができる。
【００３０】
（２）吸収性物品の全体構成
図１から図４を参照して、実施形態に係る吸収性物品の全体構成について説明する。本実施形態に係る吸収性物品は、予めパンツ型に形成された女性用のショーツ型ナプキン１である。なお、本発明に係る吸収性物品は、ショーツ型ナプキンに限られず、使い捨ておむつであってもよい。また、ショーツ型ナプキン１は、夜用のショーツ型ナプキンであってもよいし、昼用のショーツ型ナプキンであってもよい。
【００３１】
図１は、実施形態に係るショーツ型ナプキン１の正面図である。図２は、図１に示すショーツ型ナプキン１を展開した状態を示す展開平面図である。図２に示す展開平面図は、ショーツ型ナプキン１を構成する本体トップシート１１や本体バックシート１４等の皺が形成されない状態までショーツ型ナプキン１を伸長させた伸長状態の図である。図３は、図２に示すＡ−Ａ線に沿ったショーツ型ナプキン１の断面図である。図４は、ショーツ型ナプキン１を構成する吸収性本体１０の平面図である。
【００３２】
ショーツ型ナプキン１は、着用者の身体前側と身体後側とに延びる前後方向Ｌと、前後方向に直交する幅方向Ｗと、着用者に向かう肌対向面側Ｔ１及び肌対向面側と反対側に向かう非肌対向面側Ｔ２側に延びる厚み方向Ｔと、を有する。
【００３３】
ショーツ型ナプキン１は、前胴周り域Ｓ１と、後胴周り域Ｓ２と、股下域Ｓ３と、を有する。前胴周り域Ｓ１は、使用時に着用者の身体前側に対向する。後胴周り域Ｓ２は、使用時に着用者の身体後側に対向する。股下域Ｓ３は、前胴周り域Ｓ１と後胴周り域Ｓ２との間に位置し、使用時に着用者の股下に配置される。
【００３４】
ショーツ型ナプキン１を前後に二分する股下折り線ＦＷ１が股下域Ｓ３を通っている。股下折り線ＦＷ１は、幅方向Ｗに沿って延びている。図２に示す状態から、ショーツ型ナプキン１は、股下折り線ＦＷ１を基点に前胴周り域Ｓ１と後胴周り域Ｓ２とが重なるように折り畳まれている。また、幅方向Ｗにおける前胴周り域Ｓ１の外側部と幅方向Ｗにおける後胴周り域Ｓ２の外側部とが互いに接合されたサイド接合部２９形成されている。ショーツ型ナプキン１には、着用者の腰周りが挿入される腰周り開口部３１と、着用者の脚がそれぞれ挿入される一対の脚周り開口部３２と、が形成される。ショーツ型ナプキン１の展開状態において、幅方向Ｗにおける長さが最も短い部分は、ショーツ型ナプキン１の前後方向Ｌにおける中心よりも前側に位置していてよい。
【００３５】
ショーツ型ナプキン１は、幅方向Ｗに沿って延びる前胴周り折り線ＦＷ３及び後胴周り折り線ＦＷ２をさらに有していてもよい。後胴周り折り線ＦＷ２は、股下折り線ＦＷ１と後胴周り域Ｓ２の後側縁との間に設けられる。前胴周り折り線ＦＷ３は、股下折り線ＦＷ１と前胴周り域Ｓ１の前側縁との間に設けられる。
【００３６】
ショーツ型ナプキン１が股下折り線ＦＷ１を基点に前後に折り曲げたとき（図１参照）、後胴周り折り線ＦＷ２と前胴周り折り線ＦＷ３は互いに一致した位置に設けられる。図１に示す状態から、後胴周り折り線ＦＷ２及び前胴周り折り線ＦＷ３を基点に、ショーツ型ナプキン１をさらに折り返すことによって、より使用前の包装時にショーツ型ナプキン１をよりコンパクトな状態にすることができる。
【００３７】
前胴周り域Ｓ１は、幅方向Ｗにおいてサイド接合部２９と重複する領域であって、着用者の身体前側の領域によって規定される。後胴周り域Ｓ２は、幅方向Ｗにおいてサイド接合部２９と重複する領域であって、着用者の身体後側の領域によって規定される。股下域Ｓ３は、前胴周り域Ｓ１と後胴周り域Ｓ２との間の領域によって規定される。
【００３８】
なお、本実施形態において、股下折り線ＦＷ１は、ショーツ型ナプキン１の前後方向Ｌにおける中心と一致している。この代わりに、股下折り線ＦＷ１は、ショーツ型ナプキン１の前後方向Ｌにおける中心から前後方向Ｌにずれていてもよい。股下折り線ＦＷ１は、ショーツ型ナプキン１の幅方向Ｗにおける長さが最も短い部分よりも後側に位置している。
【００３９】
ショーツ型ナプキン１は、吸収性本体１０と、シャーシ２０と、を備える。吸収性本体１０は、少なくとも股下域Ｓ３に設けられている。吸収性本体１０は、液透過性の本体トップシート１１と、液不透過性の本体フィルム１２と、本体トップシート１１と本体フィルム１２との間に配置される吸収体１３と、本体バックシート１４と、を備える。シャーシ２０は、吸収性本体１０よりも非肌対向面側Ｔ２に配置されており、外装トップシート２１と外装バックシート２２を有する。
【００４０】
本体トップシート１１は、吸収体１３よりも肌対向面側Ｔ１に位置する。本体トップシート１１は、不織布や開孔プラスチックフィルムなどの液透過性のシートによって構成することができる。
【００４１】
本体フィルム１２は、吸収体１３よりも非肌対向面側Ｔ２であって、シャーシ２０よりも肌対向面側Ｔ１に配置される。本体フィルム１２は、液不透過性のシートによって構成することができる。
【００４２】
吸収体１３は、本体トップシート１１と本体フィルム１２との間に設けられ、着用者からの排泄物、例えば体液を吸収する。吸収体１３は、少なくとも股下域Ｓ３に配置されており、好ましくは前胴周り域Ｓ１と後胴周り域Ｓ２との間にわたって配置される。吸収体１３は、粉砕パルプもしくは高吸収性ポリマー、又はこれらの混合物などを含んでいてよい。
【００４３】
本体バックシート１４は、本体フィルム１２の非肌対向面側Ｔ２と、本体トップシート１１の肌対向面側Ｔ１と、の両方に配置される。本体バックシート１４の幅方向Ｗの中央部は、本体フィルム１２の非肌対向面側Ｔ２に配置される。本体バックシート１４の中央部よりも幅方向Ｗの外側は、本体フィルム１２の外側縁を基点に幅方向Ｗの内側に折り返され、本体トップシート１１の肌対向面側Ｔ１に配置される。本体バックシート１４は、不織布等のシートによって構成することができる。
【００４４】
シャーシ２０は、外装トップシート２１と、外装バックシート２２と、を有する。シャーシ２０を構成する外装トップシート２１の幅方向Ｗの長さ及び、外装バックシート２２との幅方向Ｗの長さは、吸収性本体１０の幅方向Ｗの長さよりも長い。
【００４５】
外装トップシート２１は、少なくとも幅方向Ｗに伸縮する伸縮性を有する不織布から構成されていてよい。外装バックシート２２は、外装トップシート２１の非肌対向面側Ｔ２に配置される。外装バックシート２２は、非伸縮性の不織布から構成されていてよい。
【００４６】
外装トップシート２１は、前胴周り域Ｓ１側に位置する前側外装トップシート２４と、後胴周り域Ｓ２側に位置する後側外装トップシート２５と、を有する。前側外装トップシート２４と後側外装トップシート２５は、前後方向Ｌに離間している。外装バックシート２２は、前胴周り域Ｓ１及び後胴周り域Ｓ２に亘って設けられている。前側外装トップシート２４が配置された領域、及び後側外装トップシート２５が配置された領域は、少なくとも幅方向Ｗに伸縮性を有する伸縮領域となる。前側外装トップシート２４は、少なくとも前胴周り域Ｓ１の一部に配置されていればよい。また、後側外装トップシート２５は、少なくとも後胴周り域Ｓ２の一部に配置されていればよい。
【００４７】
前側外装トップシート２４及び外装バックシート２２は、シャーシ２０の前端縁２０Ｆにおいて後側に折り返されている。前側外装トップシート２４及び外装バックシート２２が折り返された部分には、腰周り伸縮性部材２６が配置されている。
【００４８】
後側外装トップシート２５及び外装バックシート２２は、シャーシ２０の後端縁２０Ｒにおいて前側に折り返されている。後側外装トップシート２５及び外装バックシート２２が折り返された部分には、腰周り伸縮性部材２６が配置されている。腰周り伸縮性部材２６は、腰周り開口部３１に沿って設けられている。腰周り伸縮性部材２６は、例えば複数本の糸ゴムから構成されていてよい。
【００４９】
後側外装トップシート２５と外装バックシート２２との間には、脚周り伸縮性部材２７が配置されている。脚周り伸縮性部材２７の少なくとも一部は、脚周り開口部３２に沿って延びている。脚周り伸縮性部材２７は、例えば複数本の糸ゴムから構成されていてよい。
【００５０】
幅方向Ｗにおける吸収体１３の中央部に中央弾性部材４０が配置されている。中央弾性部材４０は、所定の伸張率に伸張された状態で吸収性本体１０に接合される。本実施形態では、中央弾性部材４０は、本体フィルム１２と本体バックシート１４との間に設けられている。中央弾性部材４０は、前後方向Ｌに延びている。本実施形態では、中央弾性部材４０は、幅方向Ｗに並んだ複数本の糸ゴムによって構成されている。この代わりに、中央弾性部材４０は、１本の糸ゴムによって構成されていてよい。また、中央弾性部材４０は、シート状の弾性部材によって構成されていてもよい。
【００５１】
中央弾性部材４０は、股下折り線ＦＷ１よりも前側から股下折り線ＦＷ１よりも後側にわたって延びている。中央弾性部材４０の前側縁４０Ｆは、前胴周り域Ｓ１のサイド接合部２９の後側縁２９Ｒよりも後側に位置する。さらに、中央弾性部材４０の後側縁４０Ｒは、後胴周り域Ｓ２のサイド接合部２９の前側縁２９Ｆよりも後側に位置する。
【００５２】
身体の排泄口より前側の形は比較的平らである。一方、身体の排泄口より後側には、前後方向Ｌに延びる凹部、具体的には臀裂が存在する。着用者は、ショーツ型ナプキン１を履くときに、前胴周り域Ｓ１と後胴周り域Ｓ２のサイド接合部２９を掴んで引き上げる。この場合に、中央弾性部材４０の後側縁４０Ｒがサイド接合部２９の前側縁２９Ｆよりも後側、すなわち後胴周り域Ｓ２に位置するため、着用者がショーツ型ナプキン１を引き上げる力は後胴周り域Ｓ２を介して中央弾性部材４０に伝わり易い。これにより、中央弾性部材が引き上げられたときに、中央弾性部材４０の収縮力によって、股下域Ｓ３及び後胴周り域Ｓ２の幅方向Ｗにおける中央部が、着用者の臀裂に向かって凸状に変形する。このように、股下域Ｓ３及び後胴周り域Ｓ２の幅方向Ｗにおける中央部が、着用者の臀裂に向かって凸状に変形するため、股下折り線ＦＷ１が存在していたとしても、股下折り線ＦＷ１を基点に着用者の肌から離れるように曲がることなく、ショーツ型ナプキン１を着用者の身体の形状にフィットさせることができる。
【００５３】
一方、中央弾性部材４０の前側縁４０Ｆは、サイド接合部２９の後側縁２９Ｒよりも後側に位置する。よって、前胴周り域Ｓ１では、着用者がショーツ型ナプキン１を引き上げる力は中央弾性部材４０に伝わり難い。したがって、ショーツ型ナプキン１の前胴周り域Ｓ１、特に恥骨に対向する領域付近は、比較的平らな形状を維持するので、着用者に違和感を与え難い。
【００５４】
ショーツ型ナプキン１は、幅方向Ｗにおける吸収体１３の端部領域に設けられたサイド弾性部材４２を有していてよい。サイド弾性部材４２は、前後方向Ｌに延びている。サイド弾性部材４２は、所定の伸張率に伸張された状態で吸収性本体１０に接合されている。サイド弾性部材４２は、少なくとも股下域Ｓ３に設けられていてよい。また、サイド弾性部材４２は、幅方向Ｗから見たときに、中央弾性部材４０と少なくとも部分的に重複した位置に設けられていてよい。
【００５５】
本実施形態では、サイド弾性部材４２は、吸収体１３よりも肌当接面側に設けられており、幅方向Ｗにおける吸収性本体１０の端部付近にギャザーを形成している。本実施形態では、サイド弾性部材４２は、本体バックシート１４の吸収体１３よりも肌当接面側の部分に設けられており、本体バックシート１４の吸収体１３よりも肌当接面側の部分を収縮力によって起立可能に構成している。本実施形態では、サイド弾性部材４２は、糸ゴムによって構成されている。
【００５６】
中央弾性部材４０は、後胴周り折り線ＦＷ２よりも後側へ延びていることが好ましい。股下折り線ＦＷ１と後胴周り域Ｓ２の後側縁との間に後胴周り折り線ＦＷ２が存在すると、後胴周り折り線ＦＷ２の折り癖によって、後胴周り折り線ＦＷ２を基点にショーツ型ナプキン１が着用者の身体から離れる方向に変形し易い。本実施形態では、中央弾性部材４０が後胴周り折り線ＦＷ２よりも後側へ延びているため、後胴周り折り線ＦＷ２の位置で、ショーツ型ナプキン１の幅方向Ｗにおける中央部が前後方向Ｌに沿って凸状に変形する。これにより、後胴周り折り線ＦＷ２が存在していたとしても、後胴周り折り線ＦＷ２の折り癖に引きずられることなく、ショーツ型ナプキン１を着用者の身体の形状にフィットさせることができる。
【００５７】
吸収体１３は、着用者の排泄口に対向する排泄口当接域に、排泄口当接域の周りの領域の吸収体よりも厚い中高部１７を有していてよい。排泄口当接域は、股下域Ｓ３であって、ショーツ型ナプキン１の前後方向Ｌの中央よりも前側に位置する。なお、中高部１７は、図４において斜線によって示されている。
【００５８】
中央弾性部材４０の前側縁４０Ｆは、中高部１７の領域に位置することが好ましい。中高部１７は、体液の吸収容量が高い領域となっている。中央弾性部材４０によって着用者に向けて凸状に変形する領域の前側縁が中高部１７に位置することから、吸収容量の高い中高部１７を着用者の肌に密着させることができる。これにより、効率よく体液を吸収することができる。
【００５９】
吸収性本体１０は、少なくとも吸収体１３が厚み方向に圧搾された一対の圧搾部８１を有していてよい。本実施形態では、一対の圧搾部８１は、本体トップシート１１と吸収体１３とを厚み方向に圧搾することによって形成されている。一対の圧搾部８１は、幅方向Ｗにおける吸収体１３の中心を挟んで設けられている。一対の圧搾部８１は、排泄口当接域の幅方向Ｗの両側を前後方向Ｌに延びている。一対の圧搾部８１は、連続的に延びていてもよく、点線状に断続的に延びていてもよい。一対の圧搾部８１は、サイド弾性部材４２よりも幅方向Ｗにおける内側に設けられていてよい。
【００６０】
一対の圧搾部８１は、股下折り線ＦＷ１よりも前側から股下折り線ＦＷ１よりも後側にわたって延びていることが好ましい。一対の圧搾部８１によって剛性が高められた部分が、股下折り線ＦＷ１よりも前側から股下折り線ＦＷ１よりも後側にわたって延びているので、ショーツ型ナプキン１が、使用時に、幅方向Ｗに沿った股下折り線ＦＷ１を基点に折れ曲がろうとすることを抑制することができる。これにより、ショーツ型ナプキン１のフィット性を高めることができる。
【００６１】
一対の圧搾部８１は、幅方向Ｗにおいて中央弾性部材４０を挟む位置に設けられていることが好ましい。より好ましくは、一対の圧搾部８１は、中央弾性部材４０のすべてを挟む位置に設けられている。
【００６２】
一対の圧搾部８１は、ショーツ型ナプキン１の曲げ基点となる。一対の圧搾部８１は、幅方向Ｗにおいて中央弾性部材４０を挟む位置に設けられているので、ショーツ型ナプキン１は、幅方向Ｗにおける中央部が着用者の臀裂に向けて凸形状により変形し易くなり、より着用者に身体にフィットし易くなる。
【００６３】
一対の圧搾部８１は、股下域Ｓ３において、幅方向Ｗの内側に括れた括れ部８２を有していてよい。括れ部８２は、着用者の股下の少し前に位置し、幅方向Ｗから見て排泄口当接域と重複する位置に設けられていてよい。一対の圧搾部８１の括れ部８２は、着用者の排泄口に近接する部分であり、当該部分の吸収体１３を着用者の排泄口に押し当てるように変形させる。
【００６４】
中央弾性部材４０の前側縁４０Ｆは、前後方向Ｌにおいて括れ部８２の領域に位置することが好ましい。これにより、着用者の排泄口とその後方の臀裂にかけて、ショーツ型ナプキン１の幅方向Ｗにおける中央部を着用者の肌に向けて効果的に突出させることができる。したがって、ショーツ型ナプキン１がより着用者に身体にフィットし易くなる。
【００６５】
一対の圧搾部８１は、幅方向Ｗにおける一対の圧搾部８１どうしの距離が股下折り線ＦＷ１よりも後側において後側に向かうにつれて短くなる部分を有することが好ましい。股下折り線ＦＷ１よりも後側において、一対の圧搾部８１どうしの距離が股下折り線ＦＷ１よりも後側に向かうにつれて短くなっているので、後側に向かうにつれて凸状に変形する領域の幅が狭くなる。これにより、着用者の臀裂の幅に応じて、ショーツ型ナプキン１を変形させることができるため、臀部付近のショーツ型ナプキン１のフィット性をより向上させることができる。
【００６６】
一対の圧搾部８１の後端縁８１Ｒは、後胴回り領域Ｓ２のサイド接合部２９の前端縁２９Ｆよりも前側に位置していてよい。また、一対の圧搾部８１の前端縁８１Ｆは、前胴回り領域Ｓ１のサイド接合部２９の後端縁２９Ｒよりも前側に位置していてよい。
【００６７】
ショーツ型ナプキン１は、後胴周り域Ｓ２の、幅方向Ｗにおける中央弾性部材４０の両側の領域において、少なくとも吸収体１３を圧搾した吸収体圧搾部８３を有する。本実施形態では、吸収体圧搾部８３は、複数の点状圧搾部によって構成される。
【００６８】
幅方向Ｗにおける中央弾性部材４０の外側の後胴周り域Ｓ２は、吸収体圧搾部８３によって剛性が高められており、凸状に変形し難くなっている。これにより、中央弾性部材４０の領域のみが着用者の臀裂に向かって凸状に変形し易くなっている。したがって、後胴周り域Ｓ２において、着用者の臀部とショーツ型ナプキン１との間に隙間を生じ難くすることができ、体液の伝い漏れを軽減することができる。
【００６９】
後胴周り域Ｓ２の、幅方向Ｗにおける中央弾性部材４０の両側の領域８７の伸縮性が、後胴周り域Ｓ２の、中央弾性部材４０が存在する領域の伸縮性よりも小さいことが好ましい。具体的には、後胴周り域Ｓ２の、幅方向Ｗにおける中央弾性部材４０の両側のシャーシ２０の伸縮性が、後胴周り域Ｓ２の、中央弾性部材４０が存在する領域の領域８７のシャーシ２０の伸縮性よりも小さいことが好ましい。
【００７０】
後胴周り域Ｓ２において、幅方向Ｗにおける中央弾性部材４０の外側の領域８７は、伸縮性が低いため、凸状に変形し難くなっている。これにより、中央弾性部材４０の領域のみが着用者の臀裂に向かって凸状に変形し易くなっている。したがって、後胴周り域において、着用者の臀部とショーツ型ナプキン１との間に隙間を生じ難くすることができ、体液の伝い漏れを軽減することができる。
【００７１】
本実施形態では、後胴周り域Ｓ２において、幅方向Ｗにおける中央弾性部材４０の外側の領域８７において、シャーシ２０をエンボス加工することによって、シャーシ２０の伸縮性を低下させることができる。
【００７２】
（３）その他の形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。したがって、本発明の技術的範囲は、上述の説明から妥当な特許請求の範囲に係る発明特定事項によってのみ定められるものである。
【産業上の利用可能性】
【００７３】
股下域に幅方向に沿った折り線が存在している場合であっても吸収性物品のフィット性を向上させることができる吸収性物品を提供することができる。
【符号の説明】
【００７４】
１      吸収性物品
１０    吸収性本体
１３    吸収体
２９    サイド接合部
４０    中央弾性部材
４２    サイド弾性部材
８１    一対の圧搾部
８２    括れ部
８３    吸収体圧搾部
Ｓ１    前胴周り域
Ｓ２    後胴周り域
Ｓ３    股下域
Ｌ      前後方向
Ｗ      幅方向
ＦＷ１  股下折り線
ＦＷ２  後胴周り折り線
【図１】
0006697010.tif 000002
【図２】
0006697010.tif 000003
【図３】
0006697010.tif 000004
【図４】
0006697010.tif 000005